(57)【要約】      （修正有）【課題】従来は、加温保温器具は大型であり、家庭等において活用されることが少なかった。持ち運びに適した、安価で小型の加温保温器具を実現するには、電源部を含めて小型、軽量で、安価な平板状のヒーターの実現が要求される。その様な小型平板状ヒーターを実現することにより、小型、軽量で、安価な加温保温器具を実現する。【解決手段】電熱線をらせん状等に配置したヒーター５は、ヒーター５に含まれる電熱線の長さを長くすることが出来るため、少ない電流でも大きな発熱量を得ることが出来、電源用部品等を含めて小さく安価にすることが出来る。このヒーター５を小型平状箱４の中に熱伝導率の良い物質６と共に封じこめることにより、小型の平板状ヒーターを実現することが出来る。この小型平板状ヒーターの加温保温面に、利用形態、目的に適した形のケースを付設することにより、小型、軽量、安価な加温保温器具を実現する。【選択図】  図３
2004335428.tif 000002
【特許請求の範囲】
【請求項１】
電熱線ヒーター等のヒーターを、金属や、セラミックや、プラスチック材料等で作られた小型の平板型ケースに、セラミック粉末等の熱伝導率のよい粉体、粒体と共に封入し、ヒーターの熱をこれらの粉体、粒体を通して平板型ケース表面に伝えることにより、平面状の加熱部を形成することを特徴とする小型平板ヒーター。
【請求項２】
請求項１記載の装置において加温保温を必要とする面以外をプラスチック等の熱伝導率の悪いカバーで覆い、必要な面だけを加熱するようにすることを特徴とする小型加温保温プレート。
【請求項３】
請求項２記載の装置において、小型加温保温プレートの加温保温面の上に小型収納ケース等を付設し、その内にいれた物を加温保温する移動可能な小型加温保温器具
【発明の詳細な説明】
【０００１】
【発明の属する技術分野】本発明は加温保温器具に関するものである。
【０００２】
【従来の技術】従来の加温保温器具は大型であり、簡単に持ち運んで使用するという利用に適していない。
【０００３】
飲料等の加温冷却、保温を目的として、ペルチェ素子を利用した加温冷温保温器具が存在する。ペルチェ素子は平板状をしており、流す電流の向きにより加温面と冷却面を形成することができるため、これを器具の下に敷いて加温と冷却を行うものである。しかし、ペルチェ素子を動作させるには容量の大きい直流電流を必要とするため、一般の交流電源から直流電流を取り出す電源部が大きくなり、加温冷却保温器具自体も大きく重くなり、小型化、携帯化を妨げる問題が存在する。また、このような電源部品の価格に加え、ペルチェ素子自体の価格が低価格化を妨げる問題がある。
【０００４】
また、携帯性を備えて飲料を加熱することを目的としたものとして特開２００１−２５０６６３や特開２００２−１６８５４６のようなものがある。しかしこれらはどれも飲料の周りをフィルム状のヒーターや温かい液体シートで包む方法で、飲料１本づつの加熱しか考慮されておらず、またそのようなヒーターや液体シートで包まれた状態では飲料を利用する際の使い勝手を大きく損なう問題が存在する。
【０００５】
【発明が解決しようとする課題】
従来は、加温保温器具は大型であり、家庭等において活用されることが少なかった。ペルチェ素子を利用した加温冷温保温器具に比べ、携帯に適した、安価で小型の加温保温器具を実現することを目的としたものである。
【０００６】
加温保温器具の使い勝手を考慮し、飲料を１本づつヒーターやシートで包んで利用するといった作業のいらない小型の加温保温器具の実現を目的としたものである。
【０００７】
【発明を解決するための手段】
上記目的を達成するには、小型の加温保温器具に用いる、電源部を含めて小型で安価の平板状のヒーターが必要になる。
【０００８】
図１に公知の巻き線ヒーター等に用いられている電熱線の代表的な構造１と、図２にフィルム状のヒーターに用いられているフィルム外装２と電熱線の代表的な構造３を示す。図１に示すように巻き線ヒーター型のヒーターは電熱線をらせん状に配置するため、ヒーターに含まれる電熱線の長さを長くすることが出来、フィルム状のヒーターに比べて少ない電流でも大きな発熱量を得ることが可能であり、その分電源用部品等の加熱器具に必要な部品も小さくすることが出来る。したがって、巻き線型ヒーター等の発熱効率の高いヒーターを用いて小型平板状ヒーターを作製することが出来れば、電源部等も含めて小型で安価な平状のヒーターが実現でき、これを利用して移動のし易い、携帯に適した小型、軽量の加温保温器具を実現することが出来る。
【０００９】
請求項１記載の発明は、小型巻き線ヒーターのように発熱効率の高い電熱線構造を持つヒーターから小型平板状ヒーターを作製する手段である。小型巻き線ヒーター等の電熱線ヒーターを、金属やセラミックやプラスチック等で製作された平状の箱の中に、セラミック粉末等の熱伝導率の良い粉末、粉体と共に密封し、封入された小型巻き線ヒーターを通電し、発生した熱を充填された粉末、粉体を通して平状の箱の表面に伝えることにより、平板状の加温保温面を有する平板状ヒーターを形成するものである。従って、中に封入する電熱線ヒーターの形、構造によらずに安価に小型の平板状のヒーターを実現することができる。
【００１０】
請求項２記載の発明は、請求項１記載の平板状ヒーターにおいて、加温保温に利用する加温保温面以外の面をプラスチック等の熱伝導率の悪いカバーで覆い、熱がカバー表面に伝わることを妨げることにより、必要な加温保温面だけが昇温機能を有し、それ以外の面はカバーにより昇温をされることを防いだ、小型の加温保温プレートを実現するものである。
【００１１】
請求項３記載の発明は、請求項１記載、請求項２記載の小型平板状ヒーター、小型加温保温プレートの加温保温面の上に飲料等加温保温を目的とした物の保持、出し入れ等加温保温器具の使用目的に適した形のケースを設けることにより移動可能な小型加温保温器具を実現するものである。
【００１２】
ケースは加温保温面の上に付設され、ケースの底は在る場合と無い場合の両方の構成が可能である。ケースに底が無い場合、加温保温面がそのままケース内部の加温保温空間の床面を兼ねることになる。ケースの底がある場合は、加温保温面とケースの底面とが密着され、加温保温面の熱はケースの底面を伝わりケース内の物を温める。ケースは加温保温部内の熱がそれ以上外に逃げていくのを防ぐ効果も持ち、加温保温効率の向上、温度の安定化を図ることが出来る。
【００１３】
また、加温保温したい物の形状や大きさ、利用形態、目的等により、平板状ヒーターや加温保温プレートやケース等を適した形状、大きさの構成とすることにより、利用形態、目的にあわせた、使い勝手の良い、移動可能な小型、軽量、安価な加温保温器具を実現することが出来る。
【００１４】
【発明の実施の形態】
図３は請求項１記載の小型平板状ヒーターの一実施例である。小型平板状ヒーターは平状箱４、小型電熱線ヒーター５、セラミック粉末に代表される熱伝導率の良い粉末、粒体６、電源部７、コンセントコード８等で構成される。
【００１５】
平状箱４は面方向に平行に配置した２枚の平板の周囲を閉じた構造であり、内に小型電熱線ヒーター５が付置され、残りの内部の空間はセラミック粉末に代表される熱伝導率の良い粉末、粒体６で満たされている。平状箱の適当なところから小型電熱線ヒーターにつながり、小型電熱線ヒーターを通電するためのコードを平状箱の外に引き出す。コードの引き出し口から充填してある粉末、粉体が出てこないようコードと引出し口の隙間は封じる。コードには小型電熱線ヒーターに通電するための電源部７や、コンセントコード８等がつながる。また本実施例の中では詳細は省略するが電源のスイッチや温度調整用の温度センサー、コントローラ等、加熱装置として一般的に用いられる機能は必要に応じて適当な場所に設けられるが、これらの機能は公知のものを適宜設ければ良い。
【００１６】
小型電熱線ヒーターに、巻き線ヒーターのような発熱効率の高いヒーターを採用することにより電源部を含めて小型、軽量、安価にできるため、上記、図３記載の平板状ヒーターも小型、軽量、安価の構成とすることが出来る。小型電熱線ヒーターを通電し発生した熱は、熱伝導を利用して充填してある粉末、紛体から平状箱表面に伝えられ、平板面に物の加温保温する利用に適した平板状の加温保温面を形成する。
【００１７】
平板状ヒーター及び加温保温面の温度は小型電熱線ヒーターに通電する電流や電圧をコントロールして電熱線ヒーターの発熱量を調整して行う。
【００１８】
また、図３では平板状ヒーターは角型をしているが、形状は特定する物ではなく、本発明の精神を逸脱しない限り、利用目的により適当な形状として使用しても良い。
【００１９】
また、図３では平板状ヒーターに封入される小型電熱線ヒーターが一つしか記載されていないが、発熱量が少ない等の場合、複数個の電熱線ヒーターを一つの平状箱に一緒に組み入れることにより発熱量を増やして使用しても良い。
【００２０】
この平板状のヒーターは両面使用できる平板状の移動可能の小型加温保温器具として汎用的に使用でき、加温保温の対象物をこの平板状ヒーターの上や下に置くことにより手軽に加温保温することが出来、調理等、加温保温を必要とする作業、また小型の暖房器具として汎用的に使用することが出来る。
【００２１】
図４、図５は請求項２記載の小型加温保温プレートの一実施例の概略図、側面図である。小型加温保温プレートは上記平板状ヒーター９とその加温保温面１０、プラスチック等の耐熱性で熱伝導率の悪いカバー１１により構成される。
【００２２】
図４、図５の実施例では、小型平板状ヒーター９において加温保温の必要とする加温保温面１０以外の面をプラスチック等の耐熱性で熱伝導率の悪いカバー１１で覆うことにより、カバー１１を付設された面は、小型平板状ヒーターの熱がカバーによりさえぎられ、カバー外側の表面が昇温されることを防ぐことが出来る。その結果、加温保温面だけが加熱される小型加温保温プレートを実現する。尚、カバーの材質は小型平板状ヒーターの熱に十分耐えられる物質で作られ、小型平板状ヒーターに密着しても変形等を受けない。尚、本実施例の中では詳細は省略するが小型平板状ヒーターのコード、電源部等が出ている面にカバーが必要なときは、それぞれの目的を妨げないようカバーを行う。
【００２３】
また、加温保温が必要な面以外にカバーを付設することにより、その面から熱が外へ放熱されることを防げるため、より効率よく加温保温面に熱を集約することが出来るようになる。
【００２４】
尚、平板状ヒーターには平板面、側面合わせて６面がある。加温保温が必要な面が複数面ある場合も同様に、加温保温が必要の面以外の面にカバーを付設することにより必要な面だけ加温保温を行うヒーターとすることができる。
【００２５】
また、図５では小型加温保温プレートは角型をしているが、この形状は特定する物ではなく、本発明の精神を逸脱しない限り、利用形態、目的に合わせた形の平板状ヒーター、カバーを構成することにより、適切な形状、大きさの小型加温保温プレートを実現することができる。
【００２６】
この小型加温保温プレートは必要な面を加温保温面とした小型、軽量の加温保温器具として汎用的に使用でき、持ち運びに便利な小型加温保温器具、小型ホットプレート、小型暖房器具等に使用できる。
【００２７】
請求項３記載の小型加温保温器具の一実施例を図６、図７、図８、図９に示す。
【００２８】
図６、図７は汎用使用を目的とした汎用型の小型ボックス型ケースを配置した小型加温保温器具の実施例であり、それぞれ、構成の概略図、側面図を示し、上記、請求項２記載の小型加温保温プレート１２及びその加温保温面１０、汎用型小型ボックス型ケース１３、汎用型小型ボックス型ケースの出し入れ口１４等から構成される。
【００２９】
小型加温保温器具は請求項２記載の小型加温保温プレート１２の加温保温面１０に汎用型の小型ボックス型ケース１３を固着して構成される。
【００３０】
小型ボックス型ケース１３は耐熱性の材料で構成され、小型加温保温プレート１２の加温保温面１０に固着しても、変形等の影響を受けない。加温保温する物は小型ボックス型ケースの出し入れ口１４から、小型ボックス型ケース１３内へ出し入れし、小型ボックス型ケース１３内で加温保温される。図６、図７では汎用型小型ボックス型ケース１３は側面に一つの出し入れ口１４を付設した角型のケースとして示されているが、これらの形状は特定する物ではなく、加温保温する物の大きさや形、利用形態、目的に合わせ、ケースの大きさや形状、出し入れ口の大きさ、個数、場所等適切な形状を採用した構成として良い。
【００３１】
汎用型小型ボックス型ケース１３には、底面を設けても、設けなくても良い。底面を設けない場合は、小型加温保温プレート１２の加温保温面１０が小型ボックス型ケース１３の底面を兼ねる。小型ボックス型ケースに底面がある場合、ケースの底面は小型加温保温プレートの加温保温面１０に密着され、加温保温面の熱はケースの底面を伝わりケース内に在る加温保温される物質に伝わる。どちらの場合もケース内の物は加温保温面から直接伝わる熱と、ケース内の空気が温められ、温まった空気から伝わる熱により加温保温される。また、ケースはケース内の熱が外に逃げていくのを防ぐ効果も持ち、加温保温効率の向上、ケース内の温度の安定化を図ることが出来る。尚、本実施例の中では詳細は省略するがケース内の温度調整用の温度センサー、コントローラ等、加温保温装置として一般的に用いられる機能は必要に応じて適当な場所に設けられるが、これらの機能は公知のものを適宜設ければ良い。
【００３２】
この汎用型小型ボックス型ケースを付設した小型加温保温器具は、持ち運びに容易な、汎用型の加温保温器具として、使いたい場所に置き、加温保温したいものをケース内に入れて利用することが出来る、移動し易く、持ち運びに便利な小型、軽量、安価の汎用型加温保温器具として使用できる。
【００３３】
図８、図９は缶飲料、ビン飲料、ＰＥＴボトル等、ボトル型の物を加温保温する目的に合わせた、ボトル用ケースを取り付けた小型加温保温器具である。
【００３４】
上記と同様に小型加温保温器具は、小型加温保温プレート１２とその加温保温面１０、ボトル用ケース１５から構成され、ボトル用ケースの上部にはボトルを出し入れする孔１６が設けられており、ここからボトルをボトル用ケース１５内に出し入れ出来る。上記と同様にボトル用ケースは小型加温保温プレート１２の加温保温面１０に固着されている。図９のようにボトル１７をケースに入れたとき、ボトルの上部がこの孔から出て、取り出しやすくしても良い。
【００３５】
ボトル用ケースに入れられたボトルは加温保温面から直接伝わる熱と、ボトル用ケース内で温められた空気から伝わる熱により加温保温される。ボトル用ケース内の熱がケースから逃げていくのを防ぐため、使っていないボトル出し入れ孔には蓋をしても良い。
【００３６】
図８、図９ではボトル用ケースには２個の孔が設けられ、２本のボトルの加温保温を対象とした形になっているが、これらは特定する物ではなく、本発明の精神を逸脱しない限り、利用するボトルの数、大きさ等により、ボトル用ケースの大きさ、孔の数等利用形態に合わせた構成とすることが出来る。
【００３７】
尚、上記、汎用型小型ボックス型ケースを配置した小型加温保温器具の実施例と同様に、本実施例の中では詳細は省略するがケース内の温度調整用の温度センサー、コントローラ等、加温保温装置として一般的に用いられる機能は必要に応じて適当な場所に設けられるが、これらの機能は公知のものを適宜設ければ良い。
【００３８】
このボトル用ケースを配置した小型加温保温器具は、ボトルの周囲を包んだりする必要が無く、ボトルをそのまま、利用しやすい状態を保ちつつ、加温保温を行える、小型、軽量で安価な持ち運びしやすい加温保温器具として使用できる。
【００３９】
【発明の効果】上述したように請求項１記載の平板状ヒーターによれば、巻き線ヒーターの様に発熱効率の高い電熱線ヒーターを利用して、加温保温器具に必要とされる小型、軽量で安価の平板状ヒーターを作製することが出来る。
【００４０】
請求項２では上記の小型平板状ヒーターをもちいて、必要な面だけが加温保温される加温保温面を有した小型、軽量で、安価な小型加温保温プレートを実現することが出来る。
【００４１】
請求項３では上記の小型加温保温プレートに加温保温用ケースを付設し、加温保温するものの出し入れ、利用がし易い、小型、軽量で持ち運びに便利な安価な加温保温器具を実現することが出来る。
【図面の簡単な説明】
【図１】巻き線ヒーターの電熱線構造
【図２】フィルムヒーターの電熱線構造
【図３】小型平板状ヒーターの外観図
【図４】小型加温保温プレートの外観図
【図５】小型加温保温プレートの側面図
【図６】汎用型小型ボックス型ケースを付設した小型加温保温器具の外観図
【図７】汎用型小型ボックス型ケースを付設した小型加温保温器具の側面図
【図８】ボトル用ケースを付設した小型加温保温器具の外観図
【図９】ボトル用ケースを付設した小型加温保温器具の側面図
【符号の説明】
４．平状箱
５．小型電熱線ヒーター
６．高熱伝導率粉末、粒体
９．平板状ヒーター
１０．加温保温面
１２．小型加温保温プレート
１３．小型ボックス型ケース
１５．ボトル用ケース
【図１】
2004335428.tif 000003
【図２】
2004335428.tif 000004
【図３】
2004335428.tif 000005
【図４】
2004335428.tif 000006
【図５】
2004335428.tif 000007
【図６】
2004335428.tif 000008
【図７】
2004335428.tif 000009
【図８】
2004335428.tif 000010
【図９】
2004335428.tif 000011